(57)【要約】【課題】コストパフォーマンスの高い経路の発見を容易化する。【解決手段】交通機関の出発駅から目的駅までの基準経路を取得する基準経路取得手段と、前記基準経路を、前記出発駅及び前記目的駅のうち少なくともいずれか一方から駅単位で伸長または短縮した比較経路を決定する比較経路決定手段と、駅間の乗車料金を示す乗車料金情報が保存されている乗車料金データベースにアクセスして、前記基準経路の乗車料金及び前記比較経路の乗車料金を取得する乗車料金取得手段と、前記基準経路の乗車料金と前記比較経路の乗車料金とが比較可能な出力情報を出力する出力制御手段と、を備える情報処理システムが提供される。【選択図】  図１
2016057692.tif 000002
【特許請求の範囲】
【請求項１】
交通機関の出発駅から目的駅までの基準経路を取得する基準経路取得手段と、
前記出発駅及び前記目的駅のうち少なくともいずれか一方から駅単位で前記基準経路を伸長または短縮した比較経路を決定する比較経路決定手段と、
駅間の乗車料金を示す乗車料金情報が保存されている乗車料金データベースにアクセスして、前記基準経路の乗車料金及び前記比較経路の乗車料金を取得する乗車料金取得手段と、
前記基準経路の乗車料金と前記比較経路の乗車料金とが比較可能な出力情報を出力する出力制御手段と、
を備える情報処理システム。
【請求項２】
前記比較経路決定手段は、前記比較経路の乗車料金が前記基準経路の乗車料金と同額または前記基準経路の乗車料金より安くなるように前記比較経路を決定することを特徴とする
請求項１に記載の情報処理システム。
【請求項３】
前記比較経路決定手段は、前記基準経路を伸長または短縮した先の伸縮対象駅が所定の基準を満たすように前記比較経路を決定することを特徴とする
請求項１または２に記載の情報処理システム。
【請求項４】
前記比較経路決定手段は、前記基準経路の属性、または駅の属性に基づいて、前記基準経路を伸長または短縮した先の伸縮対象駅を決定することを特徴とする
請求項１から３のいずれか一項に記載の情報処理システム。
【請求項５】
前記比較経路決定手段は、前記基準経路に含まれる路線と同じ路線の駅、前記基準経路に含まれる路線の事業者と同じまたは関連する事業者の駅、または前記基準経路内の路線との間で相互割引が適用される路線の駅を前記伸縮対象駅に決定することを特徴とする
請求項４に記載の情報処理システム。
【請求項６】
交通機関の交通ネットワーク情報が保存されている経路ネットワークデータベースにアクセスして、前記出発駅の周辺駅または前記目的駅の周辺駅を、前記基準経路を伸長または短縮した先の伸縮対象駅の候補として取得する周辺駅取得手段を更に備えることを特徴とする
請求項１から５のいずれか一項に記載の情報処理システム。
【請求項７】
前記伸縮対象駅の候補をユーザに選択可能に出力するための情報を出力する出力制御部を備えることを特徴とする
請求項６に記載の情報処理システム。
【請求項８】
前記伸縮対象駅の候補のうちユーザにより選択された駅を取得する駅取得部を更に備え、
前記比較経路決定手段は、前記ユーザにより選択された駅を前記伸縮対象駅に決定することを特徴とする
請求項７に記載の情報処理システム。
【請求項９】
ユーザの行動履歴を示す行動履歴情報が保存されている行動履歴データベースにアクセスして、行動履歴情報を取得する行動履歴情報取得手段を更に備え、
前記比較経路決定手段は、前記行動履歴情報に基づいて、前記基準経路を伸長または短縮した先の伸縮対象駅を決定することを特徴とする
請求項１から８のいずれか一項に記載の情報処理システム。
【請求項１０】
前記出力情報は、前記基準経路および／または前記比較経路の所要時間、路線、乗換回数、及び、前記基準経路または前記比較経路に含まれる駅の中または周辺にあるＰＯＩに関する情報のうち少なくともいずれかを更に含むことを特徴とする
請求項１から９のいずれか一項に記載の情報処理システム。
【請求項１１】
前記基準経路の乗車料金は前記基準経路の定期券料金であり、前記比較経路の乗車料金は前記比較経路の定期券料金であり、
前記比較経路が前記基準経路を伸長した経路である場合に、前記出力情報は、前記比較経路の定期券料金と前記基準経路の定期券料金の差額を、前記基準経路から伸長された区間の運賃で割った値に基づく比較用情報を更に含むことを特徴とする
請求項１から１０のいずれか一項に記載の情報処理システム。
【請求項１２】
コンピュータを、
駅間の乗車料金を示す乗車料金情報が保存されている乗車料金データベースにアクセスして取得された第１の乗車料金であって、交通機関の出発駅から目的駅までの基準経路の乗車料金である第１の乗車料金と、前記乗車料金データベースにアクセスして取得された第２の乗車料金であって、前記出発駅及び前記目的駅のうち少なくともいずれか一方から駅単位で前記基準経路を伸長または短縮した比較経路の乗車料金である第２の乗車料金とが比較可能な出力情報を出力する出力制御手段、
として機能させるための情報処理プログラム。
【請求項１３】
コンピュータを、
交通機関の出発駅から目的駅までの基準経路を取得する基準経路取得手段、
前記出発駅及び前記目的駅のうち少なくともいずれか一方から駅単位で前記基準経路を伸長または短縮した比較経路を決定する比較経路決定手段、
駅間の乗車料金を示す乗車料金情報が保存されている乗車料金データベースにアクセスして、前記基準経路の乗車料金及び前記比較経路の乗車料金を取得する乗車料金取得手段、
として機能させるための情報処理プログラム。
【請求項１４】
通信可能に接続された複数のコンピュータによって構成される情報処理システムであって、
交通機関の出発駅から目的駅までの基準経路を取得する基準経路取得手段と、
前記基準経路を、前記出発駅及び前記目的駅のうち少なくともいずれか一方から駅単位で伸長または短縮した比較経路を決定する比較経路決定手段と、
駅間の乗車料金を示す乗車料金情報が保存されている乗車料金データベースにアクセスして、前記基準経路の乗車料金及び前記比較経路の乗車料金を取得する乗車料金取得手段と、
前記基準経路の乗車料金と前記比較経路の乗車料金とが比較可能な出力情報を出力する出力制御手段と、
を備えた情報処理システムを機能させるために、
上記コンピュータの少なくとも１つを上記手段の少なくとも１つとして機能させるための情報処理プログラム。
【請求項１５】
通信可能に接続された複数のコンピュータによって、請求項１〜１１のいずれかに記載の情報処理システムを機能させるために、
上記コンピュータのうちの１つを請求項１〜１１のいずれかに記載の情報処理システムにおける各手段の少なくとも１つとして機能させるための情報処理プログラム。
【請求項１６】
コンピュータを、請求項１〜１１のいずれかに記載の情報処理システムにおける各手段の少なくとも１つとして機能させるための情報処理プログラム。
【請求項１７】
通信可能に接続された複数の情報処理装置によって、
交通機関の出発駅から目的駅までの基準経路を取得する基準経路取得手段と、
前記基準経路を、前記出発駅及び前記目的駅のうち少なくともいずれか一方から駅単位で伸長または短縮した比較経路を決定する比較経路決定手段と、
駅間の乗車料金を示す乗車料金情報が保存されている乗車料金データベースにアクセスして、前記基準経路の乗車料金及び前記比較経路の乗車料金を取得する乗車料金取得手段と、
前記基準経路の乗車料金と前記比較経路の乗車料金とが比較可能な出力情報を出力する出力制御手段と、
を備えた情報処理システムを構成するために、
上記手段の少なくとも１つを備えたことを特徴とする情報処理装置。
【請求項１８】
交通機関の出発駅から目的駅までの基準経路を取得する基準経路取得ステップと、
前記基準経路を、前記出発駅及び前記目的駅のうち少なくともいずれか一方から駅単位で伸長または短縮した比較経路を決定する比較経路決定ステップと、
駅間の乗車料金を示す乗車料金情報が保存されている乗車料金データベースにアクセスして、前記基準経路の乗車料金及び前記比較経路の乗車料金を取得する乗車料金取得ステップと、
前記基準経路の乗車料金と前記比較経路の乗車料金とが比較可能な出力情報を出力する出力制御ステップと、
を有することを特徴とする情報処理方法。
【発明の詳細な説明】
【技術分野】
【０００１】
本発明は、情報処理システム、情報処理プログラム、情報処理装置及び情報処理方法に関する。
【背景技術】
【０００２】
従来、ユーザがＷｅｂブラウザ上で出発駅と目的駅を入力すると、インターネットを介して、その区間の定期代をユーザに提示するＷｅｂサーバが知られている。例えば、特許文献１には、出発駅から目的駅まで、複数の路線を利用しかつ複数の乗換パターンが存在する際に、全ての乗換パターンについて定期代を比較した上で最安の乗換パターンをユーザに提示することが開示されている。
【先行技術文献】
【特許文献】
【０００３】
【特許文献１】特開２００１−２３６５２７号公報
【発明の概要】
【発明が解決しようとする課題】
【０００４】
例えば、定期乗車券区間を一駅分伸長した場合に定期代が同じ、またはその定期代の増額がユーザにとって許容範囲内である場合がある。一方、定期乗車券区間を一駅分短縮した場合に、定期代が安くなる場合がある。しかし、従来は、定期乗車券区間を伸長または短縮した場合の定期代を、定期乗車券区間の定期代と比較することができず、ユーザはコストパフォーマンスの高い経路を見つけることが困難であった。
【０００５】
本発明は上記の問題点に鑑みてなされたものであり、その目的は、コストパフォーマンスの高い経路の発見を容易化する情報処理システム、情報処理プログラム、情報処理装置及び情報処理方法を提供するものである。
【課題を解決するための手段】
【０００６】
本発明の一態様によれば、交通機関の出発駅から目的駅までの基準経路を取得する基準経路取得手段と、前記基準経路を、前記出発駅及び前記目的駅のうち少なくともいずれか一方から駅単位で伸長または短縮した比較経路を決定する比較経路決定手段と、駅間の乗車料金を示す乗車料金情報が保存されている乗車料金データベースにアクセスして、前記基準経路の乗車料金及び前記比較経路の乗車料金を取得する乗車料金取得手段と、前記基準経路の乗車料金と前記比較経路の乗車料金とが比較可能な出力情報を出力する出力制御手段と、を備える情報処理システムが提供される。
【発明の効果】
【０００７】
本発明によれば、ユーザは、基準経路の乗車料金と比較経路の乗車料金を比較することができる。これにより、コストパフォーマンスの高い経路の発見を容易化することができる。
【図面の簡単な説明】
【０００８】
【図１】本実施形態に係る情報処理システムの概略ブロック図。
【図２】本実施形態に係る情報処理システムの処理動作の一例を示すフローチャート図。
【図３】基準経路を伸長しても定期代が変わらない経路の画面例を示す図。
【図４】ユーザが比較経路を設定する場合の画面例を示す図。
【図５】基準経路を短縮することで定期代が大きく下がる場合の画面例を示す図。
【図６】基準経路を伸長することで増えた定期代の元を取るための乗車回数を表示した画面例を示す図。
【発明を実施するための形態】
【０００９】
以下、本発明に係る実施形態について、図面を参照しながら具体的に説明する。本発明に係る実施形態では、出発駅及び目的駅のうち少なくともいずれか一方から基準経路を駅単位で伸長または短縮した先の駅を伸縮対象駅と定義する。ここで、駅は、交通機関（例えば、鉄道、バス、船舶、または航空機等）の駅、停留所、停船所、及び空港などを含む。出発駅は、交通機関を移動手段とする経路の出発側の駅であり、目的駅は、当該経路の到着側の駅である。
【００１０】
図１は、本発明の第１の実施形態に係る情報処理システムの概略構成を示すブロック図である。本実施形態に係る情報処理システムは、ネットワーク３を介して通信可能な端末装置１及びサーバ２を備えている。
【００１１】
端末装置１は、ユーザが使用する装置であり、携帯電話、スマートフォンもしくはタブレット端末などの電子機器である。端末装置１及びサーバ２の少なくとも一部は、コンピュータにより実現される。また、端末装置１はネットワーク３を介してサーバ２と通信するが、ネットワーク３は有線回線と無線回線のいずれでもよく、回線の種類や形態は問わない。
【００１２】
端末装置１は、通信部１１と、入力部１２と、出力部１３と、制御部１４とを有する。
【００１３】
通信部１１は、ネットワーク３を介して制御部１４とサーバ２との間で情報を送受信するためのインターフェースである。
【００１４】
入力部１２は、ユーザが端末装置１に操作または情報を入力するためのインターフェースであり、例えばモバイル電子機器におけるタッチパネルやマイク、据え置き型電子機器におけるキーボード、タッチパッドもしくはダイヤルボタンである。
【００１５】
出力部１３は、端末装置１からユーザへ各種情報を出力するインターフェースであり、例えば映像を表示する表示部（例えば、液晶ディスプレイ）やスピーカである。
【００１６】
出力部１３は、ユーザからの操作を受け付けるためのＧＵＩ（Graphical User Interface）や、後述する出力情報などを表示する。
【００１７】
制御部１４は、出力制御部１４１と、駅取得部１４２と、探索条件設定部１４３とを有する。これら各部は、端末装置１内のプロセッサが所定のプログラムを実行することにより実現されてもよい。
【００１８】
出力制御部１４１は、出力部１３から情報（例えば、後述する出力情報）を出力するよう制御する。例えば、出力制御部１４１は、伸縮対象駅の候補を、ユーザに選択可能に出力するための情報を出力する。
【００１９】
駅取得部１４２は、伸縮対象駅の候補のうちユーザにより選択された駅を取得する。
【００２０】
探索条件設定部１４３は、少なくとも出発駅及び目的駅を含む探索条件を設定する。一例として、探索条件設定部１４３は、入力部１２を介して出発駅、目的駅などの探索条件をユーザから受け付けることにより、探索条件を設定できる。なお、探索条件設定部１４３は探索条件の少なくとも一部をユーザ入力以外から設定してもよく、例えば端末装置１は、端末装置１の現在位置から最も近い駅を出発駅としてもよい。
【００２１】
一方、サーバ２は、通信部２１と、記憶部２２と、制御部２３とを有する。
【００２２】
通信部２１はネットワーク３を介して制御部２３と端末装置１との間で情報を送受信するためのインターフェースである。
【００２３】
記憶部２２は、例えばハードディスクなどの固定型データストレージであり、経路ネットワークデータベース２２１、及び乗車料金データベース２２２、ＰＯＩデータベース２２３、及び行動履歴データベース２２４を記憶している。
【００２４】
経路ネットワークデータベース２２１には、経路ネットワーク情報として、交通機関（例えば、鉄道、バス、船舶、及び航空機等）の交通ネットワーク情報（例えば、路線図）が保存されている。
【００２５】
乗車料金データベース２２２には、駅間の乗車料金を示す乗車料金情報が保存されている。ここで、乗車料金は、例えば、一回の乗車にかかる運賃、定期乗車券の料金（以下、定期券料金という）、または回数乗車券の料金（以下、回数料金という）である。
【００２６】
ＰＯＩデータベース２２３には、ＰＯＩ（Point of Interest）を規定するＰＯＩ情報が保存されている。ここで、ＰＯＩとは、誰かが便利、あるいは興味のある所と思った場所であり、例えば、店舗、施設、またはイベント会場などである。また、ＰＯＩ情報は、例えば、ＰＯＩの名称と、緯度及び経度との組み合わせによって表現される。
【００２７】
行動履歴データベース２２４には、ユーザの行動履歴を示す行動履歴情報が保存されている。ここで、行動履歴は、例えば、ユーザの移動履歴（移動ログ）、ユーザの検索履歴（検索ログ）、またはユーザの訪問先の履歴（訪問ログ）である。この移動ログは、端末装置１の不図示の測位部が計測した緯度及び経度の履歴であってもよい。
【００２８】
なお、記憶部２２を必ずしもサーバ２内に設けなくてもよい。すなわち、経路ネットワーク情報、乗車料金情報、ＰＯＩ情報及び行動履歴情報のうち少なくとも一部は、ネットワークを介して接続される別個の装置内に記憶されていてもよい。
【００２９】
制御部２３は、基準経路取得部２３１と、比較経路決定部２３２と、乗車料金取得部２３３と、出力情報生成部２３４と、行動履歴情報取得部２３５と、周辺駅取得部２３６とを有する。
【００３０】
基準経路取得部２３１は、交通機関の出発駅から目的駅までの基準経路を取得する。
【００３１】
比較経路決定部２３２は、出発駅及び目的駅のうち少なくともいずれか一方から駅単位で基準経路を伸長または短縮した比較経路を決定する。
【００３２】
乗車料金取得部２３３は、乗車料金データベースにアクセスして、基準経路の乗車料金及び比較経路の乗車料金を取得する。
【００３３】
出力情報生成部２３４は、基準経路の乗車料金と比較経路の乗車料金とが比較可能な出力情報を生成する。
【００３４】
行動履歴情報取得部２３５は、行動履歴データベースにアクセスして、ユーザの行動履歴を示す行動履歴情報を取得する。
【００３５】
周辺駅取得部２３６は、経路ネットワークデータベース２２１にアクセスして、出発駅または目的駅の周辺駅を、伸縮対象駅の候補として取得する。ここで、周辺駅は、出発駅または目的駅の隣の駅であってもよいし、出発駅または目的駅から複数駅隔てた駅であってもよい。
【００３６】
次に、以上の構成を有する情報処理システムの処理動作について、図２のフローチャートを参照しながら説明する。図２は、本実施形態に係る情報処理システムの処理動作の一例を示すフローチャートである。以下、一例として、交通機関を鉄道、駅を駅として説明する。
【００３７】
（ステップＳ１１）まず、端末装置１の入力部１２は、出発駅、及び目的駅の入力を受け付ける。端末装置１の探索条件設定部１４３は、出発駅及び目的駅を含む探索条件を設定する。端末装置１の通信部１１は、設定された探索条件をサーバ２へ送信する。
【００３８】
（ステップＳ２１）これに応じて、サーバ２の通信部２１は、端末装置１により送信された探索条件を受信し、サーバ２の基準経路取得部２３１は受信された探索条件を取得する。
【００３９】
（ステップＳ２２）そして、基準経路取得部２３１は、経路ネットワークデータベース２２１に記憶された経路ネットワーク情報を用い、出発駅から目的駅までの交通機関を利用した経路を探索する。この探索により、基準経路取得部２３１は、基準経路を取得する。
【００４０】
（ステップＳ２３）次に、比較経路決定部２３２は、基準経路を、出発駅及び目的駅のうち少なくともいずれか一方から一定範囲の周辺駅まで伸長または短縮した駅を複数、伸縮対象駅に決定し、複数の経路を得る。ここで、一定範囲は、例えば、±１駅である。
【００４１】
そして、比較経路決定部２３２は、得られた複数の経路のうちで所定の抽出条件（例えば、乗車料金が同額以下）を満たす経路を比較経路として抽出する。このとき、抽出条件を満たす経路であれば、比較経路決定部２３２は、比較経路を複数抽出してもよい。あるいは、比較経路決定部２３２は、最も条件の良い経路、例えば、最も乗車料金の安い経路、または乗車料金が同額以下で最も区間が長い経路を一つ抽出してもよい。比較経路決定部２３２は、基準経路よりも短縮した比較経路を抽出する場合、比較経路が基準経路の乗車料金から所定の金額以上安くなるという条件を満たす場合にのみ、抽出することが好ましい。
【００４２】
（ステップＳ２４）次に、乗車料金取得部２３３は、乗車料金データベースにアクセスして、基準経路の乗車料金及び比較経路の乗車料金を取得する。
【００４３】
（ステップＳ２５）次に、出力情報生成部２３４は、基準経路の乗車料金と比較経路の乗車料金とが比較可能な出力情報を生成し、この出力情報を端末装置１へ送信する。
【００４４】
（ステップＳ１２）これに応じて、端末装置１の通信部１１は、出力情報を受信する。そして、出力制御部１４１は、基準経路の乗車料金と比較経路の乗車料金とが比較可能な出力情報を出力部１３に出力するよう制御する。
【００４５】
ここで、出力情報は、例えば、基準経路および／または比較経路の属性に含まれる所要時間、路線、乗換回数、及び駅の中または周辺にあるＰＯＩに関する情報のうち少なくともいずれかを更に含んでもよい。
【００４６】
なお、出力制御部１４１は、乗車料金の一例として定期券料金を表示させる場合、有効期間（例えば、１、３、６ヶ月）毎の定期券料金を表示するようにしてもよい。これにより、端末装置１は、ユーザが探索条件として指定した出発駅から目的駅までの基準経路の乗車料金だけでなく、同じ乗車料金でより遠くまでいける経路の乗車料金、または多少経路は短くなるが乗車料金が下がる比較経路の乗車料金など、ユーザが知り得なかった比較経路の乗車料金を提示することができる。
【００４７】
なお、比較経路決定部２３２は、基準経路の属性または駅の属性に基づいて、伸縮対象駅を決定してもよい。具体的には、比較経路決定部２３２は、基準経路に含まれる路線と同じ路線の駅、基準経路に含まれる路線の事業者と同じまたは関連する事業者の駅、または基準経路内の路線との間で相互割引が適用される路線の駅を伸縮対象駅に決定してもよい。ここで、路線は、鉄道路線、バス路線、船舶路線、及び航空路線を含む。
【００４８】
例えば、比較経路決定部２３２は、出発駅または目的駅から２駅伸長した駅が、出発駅または目的駅と同一鉄道会社の駅の場合、出発駅または目的駅から２駅伸長した駅を伸縮対象駅に決定してもよい。また、例えば、比較経路決定部２３２は、出発駅または目的駅から２駅伸長した駅が、基準経路内の路線との間で相互割引が適用される路線の駅である場合、出発駅または目的駅から２駅伸長した駅を伸縮対象駅に決定してもよい。
【００４９】
また、比較経路決定部２３２は、伸縮対象駅が所定の基準を満たすかどうかに基づいて伸縮対象駅を決定してもよい。所定の基準とは、例えば乗降者数、乗り入れ本数、ＰＯＩの数、及びターミナル駅か否かなどのうち少なくとも一つを用いて決めることができる。これにより、所定の基準を満たす大規模な駅を伸縮対象駅にすることができる。
【００５０】
なお、上述した処理では、基準経路の出発駅または目的駅を伸縮した経路を複数再探索することにより各経路の乗車料金を求めたが、これに限ったものではない。乗車料金データベース２２２には、各駅を基準に周辺駅まで伸縮した場合の乗車料金データが予め格納されており、比較経路決定部２３２は、その乗車料金データを参照することで、抽出条件を満たす比較経路を決定してもよい。
【００５１】
続いて、出力情報の出力画面例について、図３を参照して説明する。図３は、基準経路を伸長しても定期券料金が変わらない経路の画面例を示す図である。図３の画面Ｇ１内のポップアップ画面Ｐ１内において、ポップアップ画面Ｐ１の上側にＡ駅〜Ｂ１駅及びＢ１駅〜Ｂ１４駅を経路とする基準経路の有効期間毎の定期券料金が示され、その下側にＡ駅〜Ｂ１駅及びＢ１駅〜Ｂ１５駅を経路とする比較経路の有効期間毎の定期券料金が示されている。ここで、Ａ駅〜Ｂ１駅及びＢ１駅〜Ｂ１５駅を経路とする比較経路は、Ａ駅〜Ｂ１駅及びＢ１駅〜Ｂ１４駅を経路とする基準経路の目的駅を一駅だけ伸長したものである。図３の例では、基準経路の定期券料金と比較経路の定期券料金が同額である。なお、ユーザが「削除」と記載された領域Ｒ１を押下することにより、Ａ駅〜Ｂ１駅及びＢ１駅〜Ｂ１５駅を経路とする比較経路を非表示にすることができる。
【００５２】
例えば、図３の例において、比較経路決定部２３２は、例えば、基準経路の目的駅であるＢ１４駅の前後に存在するＢ１５駅、Ｂ１３駅までそれぞれ延長または短縮した経路をそれぞれ探索する。その結果、比較経路決定部２３２は、例えば、どちらも基準経路と同額の定期券料金であるので、そのうち最も区間の広い「Ａ駅〜Ｂ１駅及びＢ１駅〜Ｂ１５駅」の経路を比較経路として抽出する。このように、比較経路決定部２３２は、基準経路を伸長して定期券料金が基準経路と同じ経路を比較経路に決定してもよい。
【００５３】
続いて、ユーザが比較経路を設定する場合の画面例について、図４を参照して説明する。図４は、ユーザが比較経路を設定する場合の画面例を示す図である。図３と同様に、図４の画面Ｇ２内のポップアップ画面Ｐ２内において、ポップアップ画面Ｐ１の上側にＡ駅〜Ｂ１駅及びＢ１駅〜Ｂ１４駅を経路とする基準経路の有効期間毎の定期券料金が示され、その下側にＡ駅〜Ｂ１駅及びＢ１駅〜Ｂ１５駅を経路とする第１の比較経路の有効期間毎の定期券料金が示されている。
【００５４】
また、図４の画面Ｇ２内のポップアップ画面Ｐ２に示すように、目的駅Ｂ１４駅と同じ路線の駅が、伸縮対象駅の候補としてリストで表示され、ユーザが伸縮対象駅を選択可能になっている。
【００５５】
このときの伸縮対象駅の決定処理を以下に説明する。周辺駅取得部２３６は、経路ネットワークデータベース２２１にアクセスして、目的駅の周辺駅を伸縮対象駅の候補として取得する。そして、出力制御部１４１は、伸縮対象駅の候補をユーザに選択可能に出力するための情報を出力する。そして、駅取得部１４２は、伸縮対象駅の候補のうちユーザにより選択された駅を取得する。そして、比較経路決定部２３２は、ユーザにより選択された駅を伸縮対象駅に決定する。
【００５６】
なお、図４の画面Ｇ２のように、伸縮対象駅の候補がリストで表示されていなくてもよく、ユーザが直接、伸縮対象駅を入力してもよい。
【００５７】
図４の画面Ｇ２においてＢ１３駅が伸縮対象駅として選択され且つ「比較経路を追加」ボタンＢ２が押下された場合、図４の画面Ｇ３に遷移する。図４の画面Ｇ３内のポップアップ画面Ｐ３では、ポップアップ画面Ｐ２と比べて、ポップアップ画面Ｐ２において選択された伸縮対象駅Ｂ１３駅を目的駅とする第２の比較経路が更に最下段に追加されている。この第２の比較経路は、Ａ駅〜Ｂ１駅及びＢ１駅〜Ｂ１３駅を経路とする。
【００５８】
なお、図３と同様に、ユーザが「削除」と記載された領域Ｒ２を押下することにより、Ａ駅〜Ｂ１駅及びＢ１駅〜Ｂ１５駅を経路とする第１の比較経路を非表示にすることができる。図３と同様に、ユーザが「削除」と記載された領域Ｒ３を押下することにより、Ａ駅〜Ｂ１駅及びＢ１駅〜Ｂ１３駅を経路とする第２の比較経路を非表示にすることができる。
【００５９】
続いて、基準経路を短縮することで比較経路の定期券料金が基準経路の定期券料金より大きく下がる例について図５を用いて説明する。図５は、基準経路を短縮することで定期券料金が大きく下がる場合の画面例を示す図である。図５の画面Ｇ４内のポップアップ画面Ｐ４内には、上段にＣ駅〜Ｂ１６駅及びＢ１６駅〜Ｂ１５駅を経路とする基準経路の有効期間毎の定期券料金が示され、下段にＣ駅〜Ｂ１６駅を経路とする比較経路の有効期間毎の定期券料金が示されている。このＣ駅〜Ｂ１６駅を経路とする比較経路は、Ｃ駅〜Ｂ１６駅及びＢ１６駅〜Ｂ１５駅を経路とする基準経路の目的駅Ｂ１５駅を短縮して、Ｂ１６駅を伸縮対象駅とした経路である。この基準経路には、Ｍ線の電車に乗る区間が含まれるのに対し、この比較経路には、Ｍ線の電車に乗る区間が含まれない。このため、基準経路の１ヶ月の定期券料金（すなわち１３２８０円）に比べて、比較経路の１ヶ月の定期券料金（すなわち７１２０円）が大幅に安くなっている。このように、比較経路決定部２３２は、基準経路を短縮して定期券料金が基準経路の定期券料金より安くなる経路を比較経路に決定してもよい。
【００６０】
続いて、基準経路を伸長することで増えた定期券料金の元をとるための乗車回数が表示される例について図６を用いて説明する。図６は、基準経路を伸長することで増えた定期券料金の元を取るための乗車回数を表示した画面例を示す図である。図６の画面Ｇ５内のポップアップ画面Ｐ５内には、ポップアップ画面Ｐ５の上側にＢ８駅〜Ｂ１５駅を経路とする基準経路の有効期間毎の定期券料金が示され、その下側にＢ８駅〜Ｂ１６駅を経路とする比較経路の有効期間毎の定期券料金が示され、更にその下側に「元をとる利用回数」が示されている。このＢ８駅〜Ｂ１６駅を経路とする比較経路は、Ｂ８駅〜Ｂ１５駅を経路とする基準経路の目的駅を一駅だけ伸長したものである。
【００６１】
ここで、ポップアップ画面Ｐ５内の「元をとる利用回数」は、伸長した区間（すなわちＢ１６駅からＢ１５駅までの区間）を何回乗車すれば、増えた分の定期券料金の元が取れるかを示している。例えば、図６では、１ヶ月の定期券料金が６８２０円から７１５０円に３３０円だけ増えている。伸長した区間の運賃が１６０円だとすると、伸長した区間を３回乗車すれば元が取れる。ここで、この３は、３３０を１６０で割った値の小数点以下を繰り上げた値である。
【００６２】
このように、比較経路が基準経路を伸長して決定された場合に、出力情報は、比較経路の定期券料金と基準経路の定期券料金との差額を、伸長した区間の運賃で割った値に基づく比較用情報を更に含む。ここで、比較用情報は、例えば、図６のポップアップ画面Ｐ５内の「元をとる利用回数」として表示された数字である。
【００６３】
なお、図６では、比較用情報は、伸長した区間を何回乗車すれば、増えた分の定期券料金の元が取れるかを示したが、これに限らず、伸長した区間を何往復すれば、増えた分の定期券料金の元が取れるかを示してもよい。
【００６４】
以上説明したように、第１の実施形態に係る情報処理システムは、交通機関の出発駅から目的駅までの基準経路を取得し、出発駅及び目的駅のうち少なくともいずれか一方から、基準経路を伸長または短縮した比較経路を決定する。そして、情報処理システムは、乗車料金データベースにアクセスして、基準経路の乗車料金と比較経路の乗車料金とが比較可能な出力情報を出力部１３に出力する。これにより、ユーザは、基準経路の乗車料金と比較経路の乗車料金を比較することができる。これにより、コストパフォーマンスの高い経路の発見を容易化することができる。
【００６５】
なお、比較経路決定部２３２は、ユーザの行動履歴を示す行動履歴情報に基づいて、出発駅及び目的駅のうち少なくともいずれか一方から伸長または短縮した先の伸縮対象駅を決定してもよい。例えば、比較経路決定部２３２は、ユーザが普段よく使う駅を、伸縮対象駅に決定してもよい。ここで、ユーザが普段よく使う駅は、例えば、過去一定期間のうちに、予め決められた回数より多く乗車または降車した駅である。
【００６６】
ここで、上述した行動履歴情報には、位置情報サービスにおいてユーザがチェックインした履歴を含む。このチェックインとは、ロケーション情報を利用したジオメディアにおいて、自分の現在位置を知人に知らせることである。例えば、このチェックインした履歴を用いる場合、比較経路決定部２３２は、ユーザがチェックインした施設の最寄りの駅を、伸縮対象駅に決定してもよい。
【００６７】
なお、図１の構成は一例であり、サーバ２内の構成要件の少なくとも一部がそれぞれ端末装置１内にあってもよい。例えば、サーバ２内の記憶部２２及び制御部２３を端末装置１内に設けて、通信をすることなく端末装置１のみで上述した情報処理システムの処理を実行する情報処理装置を構成してもよい（いわゆるスタンドアローン）。
【００６８】
上述した実施形態で説明した情報処理システムの少なくとも一部は、ハードウェアで構成してもよいし、ソフトウェアで構成してもよい。ソフトウェアで構成する場合には、情報処理システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００６９】
また、上述した実施形態で説明した情報処理システムの少なくとも一部の機能を実現するプログラムを、インターネット等の通信回線（無線通信も含む）を介して頒布してもよい。更に、同プログラムを暗号化したり、変調をかけたり、圧縮した状態で、インターネット等の有線回線や無線回線を介して、あるいは記録媒体に収納して頒布してもよい。
【００７０】
更に、１または複数の情報処理装置によって上述した実施形態で説明した情報処理システムを機能させてもよい。複数の情報処理装置を用いる場合、情報処理装置のうちの１つをコンピュータとし、当該コンピュータが所定のプログラムを実行することにより情報処理システムの少なくとも１つの手段として機能が実現されてもよい。
【００７１】
以上、本発明の態様は、上述した個々の実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【００７２】
１  端末装置
１１  通信部
１２  入力部
１３  出力部
１４  制御部
１４１  出力制御部
１４２  駅取得部
１４３  探索条件設定部
２  サーバ
２１  通信部
２２  記憶部
２２１  経路ネットワークデータベース
２２２  乗車料金データベース
２２３  ＰＯＩデータベース
２２４  行動履歴データベース
２３  制御部
２３１  基準経路取得部
２３２  比較経路決定部
２３３  乗車料金取得部
２３４  出力情報生成部
２３５  行動履歴情報取得部
２３６  周辺駅取得部
３  ネットワーク
Ｇ１、Ｇ２、Ｇ３、Ｇ４、Ｇ５  画面
Ｐ１、Ｐ２、Ｐ３、Ｐ４、Ｐ５  ポップアップ画面
Ｒ１、Ｒ２、Ｒ３  領域
Ｂ２  ボタン
【図１】
2016057692.tif 000003
【図２】
2016057692.tif 000004
【図３】
2016057692.tif 000005
【図４】
2016057692.tif 000006
【図５】
2016057692.tif 000007
【図６】
2016057692.tif 000008